Podtech/llm-jp-corpus-v4-ja_patent huggingface dataset:
(57)【要約】【課題】負荷の短絡、出力段に用いられるトランジスタの短絡故障による電流検出の回路や、制御手段の焼損を防止し、誤検出の少ないた電気刺激装置の具現化を課題とする。【解決手段】刺激信号の基信号を発生させる刺激信号発生手段と、前記基信号を増幅して駆動信号を発生させる駆動増幅回路と、前記駆動信号を増幅して前記刺激信号を出力する出力増幅回路と、負荷異常を検出する検出回路と、前記電気刺激装置の状態を表示する表示手段と、前記検出信号により前記刺激信号発生手段および前記表示手段を制御する制御手段と、外来ノイズ等で誤検出しないように、前記刺激信号の電流を制限する定電流回路とで、電気刺激装置を構成する。また、前記の検出回路は前記駆動信号（最大３V程度）の電圧変動を検出することにより課題を解決する。【選択図】  図２
2010194095.tif 000002
【特許請求の範囲】
【請求項１】
生体に電気信号による刺激を与える電気刺激装置であって、
刺激信号の基信号を発生させる刺激信号発生手段と、
前記基信号を増幅して駆動信号を発生させる駆動増幅回路と、
前記駆動信号を増幅して前記刺激信号を出力する出力増幅回路と、
前記駆動信号の電圧変動を検出して検出信号を発する検出回路と、
前記電気刺激装置の状態を表示する表示手段と、
前記検出信号により前記刺激信号発生手段および前記表示手段を制御する制御手段と、
前記刺激信号の電流を制限する定電流回路とからなる電気刺激装置。
【発明の詳細な説明】
【技術分野】
【０００１】
本発明は、生体に電気刺激を与え、治療、美容又は筋力トレーニングを行うときに使用する電気刺激装置に係る。
【背景技術】
【０００２】
電気刺激による治療、美容又は筋力トレーニングに用いる電気刺激装置は従来より知られており、多数の製品が提供されている。
これらは、生体に流れる電流を検出して装置の状態を示したり、電流値が異常であれば出力を停止したりする機能が付加されている。
【特許文献１】特開２００５−３１２８４７号  公報
【０００３】
開示する特許文献１は、人体４に電流を流し美容を行う美容器に関する発明である。
詳しくは、人体４に流れる電流を電流検出手段６で検出し、検出信号を制御手段３に出力する。
制御手段３は検出信号をＡ／Ｄ変換した後、しかるべく演算処理を行い電流値を表示画面１３、あるいは電流表示ＬＥＤ１２にて表示するものである。
【０００４】
ところで、このような電気刺激装置は電流検出の回路や、制御手段が焼損することがある。
理由は負荷の短絡、出力段に用いられるトランジスタの短絡故障による。  また、一般的に電気刺激信号は高電圧（５０V程度）が用いられるため、被害が大きくなる。
【発明の開示】
【発明が解決しようとする課題】
【０００５】
本発明は、検出回路、制御手段の焼損を防ぎ、且つ誤動作の少ない負荷異常検出（電流検出）機能を持った電気刺激装置の具現化を課題とする。
【課題を解決するための手段】
【０００６】
刺激信号の基信号を発生させる刺激信号発生手段と、
前記基信号を増幅して駆動信号を発生させる駆動増幅回路と、
前記駆動信号を増幅して前記刺激信号を出力する出力増幅回路と、
負荷異常を検出する検出回路と、
前記電気刺激装置の状態を表示する表示手段と、
前記検出信号により前記刺激信号発生手段および前記表示手段を制御する制御手段と、
外来ノイズ等で誤検出しないように、前記刺激信号の電流を制限する定電流回路とで、
電気刺激装置を構成する。
また、前記の検出回路は前記駆動信号（最大３V程度）の電圧変動を検出することにより課題を解決する。
【発明の効果】
【０００７】
検出回路は駆動信号（最大３V程度）の電圧変動を検出するので、短絡故障が発生しても焼損の危険性が低い。
また、外来ノイズ等で誤検出しないように、刺激信号の電流を制限する定電流回路を設けているので、誤検出も回避できる。
【発明を実施するための最良の形態】
【０００８】
図を用いて説明する。
図２は本発明のブロック図である。
刺激信号発生手段は刺激信号の基になる信号を発生させる。
直流、低周波、パルス信号などを発生させるのが一般的で有る。
なお、刺激信号発生手段は制御手段を用いることもできる。
【０００９】
駆動増幅回路は刺激信号発生手段で発生させた基信号を、
出力増幅回路の入力に必要なレベルに増幅する回路である。
【００１０】
出力増幅回路は駆動増幅回路からの駆動信号を生体に作用するレベルに増幅する回路である。
他の回路、或いは手段は３Ｖ程度の電圧で動作するのに対して、高電圧（５０V程度）で動作する。
【００１１】
検出回路は駆動信号の電圧を検出している（図２、X2位置）。
従来は検出し易さから出力信号の電流、或いは電圧を検出する（図１、X1位置）。
従来の検出位置では既述のような問題があるが、一方、焼損の心配が少ない本発明の検出位置にも下記の欠点がある。
出力増幅回路が緩衝し、出力増幅回路の増幅度をＡとすると、負荷変動の検出結果が１／Ａでしか検出できなくなる。
本発明では、制御手段の入力感度を高くして検出不感を防いでいる。
【００１２】
電気刺激信号は出力増幅回路から電極を介して生体に流れる。
生体を流れた電気刺激信号は電極を介して定電流回路に流れ、接地に至る。
【００１３】
００１０段落に記したとおり、本発明を具現化するには制御手段の入力感度を高くする必要がる。
このことは外来ノイズに対して弱くなることでもある。
そこで、００１２段落の定電流回路を挿入して、ノイズによる影響を緩和する。
【００１４】
制御手段は検出信号から付加（生体抵抗）異常を検知すると、刺激信号発生手段を制御して信号の出力を停止させる。
また、表示手段にも異常を知らせる表示を行わせる。
【図面の簡単な説明】
【００１５】
【図１】従来の電気刺激装置のブロック図
【図２】発明本の電気刺激装置のブロック図
【図１】
2010194095.tif 000003
【図２】
2010194095.tif 000004
(57)【要約】【課題】本発明は、上述のごとき実情に鑑みてなされたもので、給水は歯面・粘液部だけを濡らして歯面の汚れを除去しやすくし、かつ、給水した水を迅速に排出して使用者に不快感を与えないようにするとともに、誤飲等の危険性をなくした給排水機能付歯ブラシを提供する。【解決手段】１０は、植毛面に給水口１２ａと排水口１３ａを有し、前記給水口１２ａより水を放出しながら歯面をブラッシングし、前記給水口１２ａより放出された水を前記排水口１３ａにより吸引排出するようにした給排水機能付歯ブラシである。前記給水口１２ａと排水口１３ａとは、歯ブラシの長手方向に前後（１３ａ１，１３ａ２）、或いは、左右（１３ａ，１３ａ４）に近接して配置されている。【選択図】図１
2010194172.tif 000002
【特許請求の範囲】
【請求項１】
植毛面に給水口と排水口を有し、前記給水口より水を放出しながら歯面をブラッシングし、前記給水口より放出された水を前記排水口より吸引排出するようにした給排水機能付歯ブラシにおいて、前記給水口と排水口とは、歯ブラシの長手方向に前後して近接して配置されていることを特徴とする給排水機能付歯ブラシ。
【請求項２】
前記排水口は、前記給水口の左右にも近接して設けられていることを特徴とする請求項１に記載の給排水機能付歯ブラシ。
【請求項３】
前記排水口は、前記給水口の前後に近接して設けられていることを特徴とする請求項１又は２に記載の給排水機能付歯ブラシ。
【請求項４】
前記排水口は、歯ブラシの幅方向に、前記給水口の径を超えて細長に延長していることを特徴とする請求項１乃至３のいずれかに記載の給排水機能付歯ブラシ。
【発明の詳細な説明】
【技術分野】
【０００１】
本発明は、給排水機能付歯ブラシに関し、詳しくは、給水口と排水口を近接して設け、給水口より放出された水が口腔内に広がる前に排水口より吸引して排水するようにし、もって、給水が歯面・粘液部だけを濡らして歯面の汚れを除去しやすくし、更には、給水が咽頭部へ垂れて誤飲しないようにした歯ブラシに関する。
【背景技術】
【０００２】
給排水機能を備えた歯ブラシは、現在までに、種々提案されており、例えば、図２（Ａ），（Ｂ）に示すように、歯ブラシ１０は、柄１１の長手方向に沿って給水路１２と排水路１３を有し、これら給水路１２及び排水路１３とそれぞれ連通する給水口１２ａ及び排水口１３ａを、ブラシ１５の植毛面に設けている。なお、図２において、給水路１２、排水路１３は、柄１１内に設けられているが、必ずしも、柄１１内に設ける必要はなく、柄１１沿ったチューブを配設し、該チューブを通して給排水するようにしてもよい。
【０００３】
給水路１２の図示しない端部は、柄１１の端部において、給水ポンプに連通するホースに着脱自在に連結され、排水路１３の図示しない端部は、柄１１の端部において、排水ポンプに連通するホースに着脱自在に連結され、歯磨き時、給水口１２ａより水を放出して歯面を濡らしながらブラッシングし、磨きカスを排水口１３ａより吸い込んで洗い流す。
【先行技術文献】
【特許文献】
【０００４】
【特許文献１】特開平１０−３２３２２８号公報
【発明の概要】
【発明が解決しようとする課題】
【０００５】
上述のように、給排水機能付歯ブラシにおいては、歯ブラシの植毛面より水を放出して、歯面を濡らしながらブラッシングし、ブラッシングした磨きカスを排水口より吸引して排出するようにしているが、排水が適切に行われないと、給水した水が口腔内に溜り、使用者に不快感を与えるばかりでなく、咽頭部へ垂れて誤飲してしまうなど、危険ですらあった。
【０００６】
本発明は、上述のごとき実情に鑑みてなされたもので、給水は歯面・粘液部だけを濡らして歯面の汚れを除去しやすくし、かつ、給水した水を迅速に排出して誤飲等をなくして危険性をなくすとともに、使用者に不快感を与えないようにした給排水機能付歯ブラシを提供することを目的としてなされたものである。
【課題を解決するための手段】
【０００７】
請求項１の発明は、植毛面に給水口と排水口を有し、前記給水口より水を放出しながら歯面をブラッシングし、前記給水口より放出された水を前記排水口より吸引排出するようにした給排水機能付歯ブラシにおいて、前記給水口と排水口とは、歯ブラシの長手方向に前後して近接して配置されていることを特徴としたものである。
【０００８】
請求項２の発明は、請求項１の発明において、前記排水口は、前記給水口の左右にも近接して設けられていることを特徴としたものである。
【０００９】
請求項３の発明は、請求項１又は２の発明において、前記排水口は、前記給水口の前後に近接して設けられていることを特徴としたものである。
【００１０】
請求項４の発明は、請求項１乃至３のいずれかの発明において、前記排水口は、歯ブラシの幅方向に、前記給水口の径を超えて細長に延長していることを特徴としたものである。
【発明の効果】
【００１１】
本発明によると、給排水機能付歯ブラシにおいて、給水口に近接して排水口を設けたので、歯面・粘液部のみを濡らしてブラッシングした水を迅速に排出することができ、口腔内に放出された水が口腔内に溜るようなことはなく、従って、喉を詰らせるようなこともなく、また、誤飲するようなこともなく、安心して、気持ちよく歯を磨くことができる。
【図面の簡単な説明】
【００１２】
【図１】本発明による給排水機能付歯ブラシの要部（給排水口面）を示す図である。
【図２】従来の給排水機能付歯ブラシの一例を説明するための要部構成図である。
【発明を実施するための形態】
【００１３】
図１は、本発明による給排水機能付歯ブラシの実施例を説明するための図で、各図とも、歯ブラシ１０の植毛面から見た図を示し、図中、１２ａは給水口、１３ａは排水口を示す。本発明においては、給水口１２ａと排水口１３ａとが近接して（好ましくは、接して）設けられており、給水口１２ａから放水された水が歯面を濡らした後、直ちに排水口１３ａより排水されるようにしたもので、図１（Ａ）は、給水口１２ａの前方又は後方（矢印にて示す方向）に単一の排水口１３ａ１を設けた例、図１（Ｂ）は、給水口１２ａの前方及び後方に排水口１３ａ１，１３ａ２を設けた例、図１（Ｃ）は、前後左右に排水口１３ａ１，１３ａ２，１３ａ３，１３ａ４を設けた例、図１（Ｄ）は、前後の排水口１３ａ１，１３ａ２を長手方向に対して直角の幅方向に長くして（Ｄ１＜Ｄ２）、図１（Ｃ）に示した排水口１３ａ３，１３ａ４の機能をも兼ねるようにした例を示す。
【００１４】
なお、図１では省略したが、給水口１２ａには、図２にて説明したように、給水路を通して水が供給され、排水口１３ａ，１３ａ１−１３ａ４は、共通の排水路を通して排水されるようになっている。
また、給水口、排水口の配置、形状等について代表的な例を数例示したが、本発明は、図示例に限定されるものではなく、歯ブラシの形状、大きさ等によって、給水口と排水口が近接して配設されているという本発明の技術的思想の範囲内において、任意に変形可能であることは明らかである。
【符号の説明】
【００１５】
１０…給排水機能付歯ブラシ、１１…柄部、１２…給水路、１２ａ…給水口、１３ａ１〜１３ａ４…排水口。
【図１】
2010194172.tif 000003
【図２】
2010194172.tif 000004
(57)【要約】      （修正有）【課題】従来の携帯用クレンジングはシートタイプで枚数も多く使い切らないうちに、乾燥してムダにしてしまうことが多い。又、サイズも大きいため、昼中１回分の化粧直しに使用するにはムダが多い。【解決手段】フランス製イブサンローランの鏡付きケースに３回分のクレンジングローションをしみこませたコットンを収納する事によって、ムダを省き、手軽に持ち歩け、これを利用する事において、完壁な朝のメークが１日中保てる。【選択図】図２
2010115466.tif 000002
【特許請求の範囲】
【請求項１】
フランス製イブサンローランのアイシャドウケースを利用した携帯用クレンジング入れ
【発明の詳細な説明】
【技術分野】
【０００１】本発明、フランス製イブサンローランのアイシャドウケース利用に関する
【背景技術】
【０００２】従来の携帯用クレンジングはウエットティシュタイプのものがある【０００３】以下、図１、図２について説明する。図１はフランス製イブサンローランのアイシャドウケースのデザインをそのまま生かしたものである．図２において中を開けた状態でコットンにクレンジングローションを含ませて収納する
【発明の開示】
【発明が解決しようとする課題】
【０００４】従来の携帯用クレンジングというのは、枚数も多く全部使い切らないうちに乾燥してムダになってしまうことが多い【０００５】本発明はこのような従来の問題点を解決し、手軽にムダなく１日分の必要量が持ち歩けるものである
【課題を解決するための手段】
【０００６】そして本発明はクレンジングローション（水のいらない洗顔水）を含ませたコットンを３枚収納することによって１日分の化粧直しが十分まかなえる
【発明の効果】
【０００７】本発明はクレンジング１日分が持ち歩けて鏡付きのケースで手軽にＴゾーンの化粧くずれを落とし、その後に軽くパウダーファンデーションで押さえれば朝と同じような完壁なメークの状態が一日中保てる。
【発明の実施するための最良の形態】
【０００８】本品にクレンジングローションを含ませたコットンを３枚収納する。これをバッグの中に持ち歩き利用する事により化粧くずれをおこしやすいＴゾーンのみ化粧直しする事によって、完壁なメークで１日過すことができる。又、一日分なので乾燥してムダになることもない。
【図面の簡単な説明】
【０００９】
【図１】本品のアイシャドウケースを真上から見たところ
【図２】本品のフタを開けて、コットンを収納したところ
【図１】
2010115466.tif 000003
【図２】
2010115466.tif 000004
(57)【要約】【課題】  本発明は、うちわを複数に重ね合わせて装着でき、広げて扇ぐことで、数倍の送風ができる磁石の付いたうちわを提供する。【解決手段】  うちわの柄の部分に磁石を固定して、うちわを複数に重ね合わせて吸着させ、互いに交差できるようにすることを特徴とした磁石の付いたうちわ。【選択図】図３
2010115465.tif 000002
【特許請求の範囲】
【請求項１】
うちわの柄の部分に磁石を固定して、うちわを複数に重ね合わせて磁石で吸着させ、互いに交差できるようにしたことを特徴とした磁石の付いたうちわ。
【発明の詳細な説明】
【技術分野】
【０００１】  本発明は、うちわの柄の部分に磁石を設けて、うちわを複数に重ね合わせ、磁石で吸着させて互いに交差できるように工夫したことを特徴とした磁石の付いたうちわに関するものである。
【背景技術】
【０００２】  従来、うちわは、竹材、プラスチック材に、紙器などを貼って作られており、ともに、一枚で作られているのが知られているが、送風が単調で、興味が薄かった。
飾り兼用豆うちわ（実用新案文献１参照）。
耐撓性紙うちわ（特許文献１参照）。
板紙製うちわ（特許文献２参照）。
【実用新案文献１】
実用新案公開平６−６１１２１号公報
【特許文献１】  特許公開２００２−３４６２５号公報
【特許文献２】  特許公開２００３−９３１２４号公報
【発明の開示】
【発明が解決しようとする開示】
【０００３】  そのために次のような問題点があった。
（イ）一枚のうちわで風を多量に送るために扇ぐとき敏速さと疲労を必要としていた。
（ロ）多量に送風するために複数に重ねると、うちわが散乱して上手に扇げなかった。
本発明は、以上の問題点を解決するためになされたものである。
【課題を解決するための手段】
【０００４】  うちわ（１）を好みの複数だけ重ね合わせて、柄（２）の部分の磁石（３）を吸着させ、相対は鉄材でもよく、互いに交差できるようにする。
本発明は以上のことを特徴とした磁石の付いたうちわ。
【発明の効果】
【０００５】  重ねたうちわを柄の部分に磁石で吸着することで、うちわ同士の散乱と外れがなくなり、横へのスライドが安定して行える。
また、多量に連結することも、分離し取り外して一本で使用することもできる。
【発明を実施するための最良の形態】
【０００６】  以下本発明の実施の形態について説明する。
（イ）うちわ（１）、うちわ（１）を複数に重ねて、柄（２）、柄（２）部分の磁石（３）を吸着させて留める。
（ロ）磁石（３）の支点軸により、互いに交差できるようになり、広げると持ち部（４）は細いままで持ち易く、柄の端（５）、（５）の拡大にて手より抜け落ちるようなことはない。
本発明は以上のような構成である。
本発明を使用するときは、柄（２）、柄（２）によりうちわ（１）、うちわ（１）を広げて扇ぐと、送風が数倍の幅と量と角度方向へ送ることができる。
多量に送風することで、敏速に扇ぐこともなく緩やかで良いので疲労はない。
また、うちわ本来の姿を失うこともない。
【図面の簡単な説明】
【０００７】
【図１】  本発明の正面図である。
【図２】  本発明の断面図である。
【図３】  本発明の使用状態を示した正面図である。
【符号の説明】
【０００８】    １  うちわ
２  柄
３  磁石
４  持ち部
５  柄の端
【図１】
2010115465.tif 000003
【図２】
2010115465.tif 000004
【図３】
2010115465.tif 000005
(57)【要約】【課題】本発明はフライパン等に、いつでもきれいな油がひけ、調理中の仮置き時も受け具なしでも調理台を汚さない油ひきを提供する。【解決手段】取手の内側下部に紙製などの束状の刷毛をもうけ、取手の下部の切れ込みを、外側に開き油をひき、その切れ込みの角が調理台にあたることで、調理途中の仮置き時にも調理台が油で汚れないことを特徴とする油ひき。【選択図】図１
2010115461.tif 000002
【特許請求の範囲】
【請求項１】
紙製等の取手の下部内側に、吸油性の高い紙などを束状にした刷毛部を設け、取手の下端に設けた複数の切れ込みが外側へ開き、その角が調理台にあたることにより、調理中の仮置き時に受け具なしでも調理台が油で汚れない油ひき。
【発明の詳細な説明】
【技術分野】
【０００１】  本発明は、受け具の必要のない油ひきに関するものである。
【背景技術】
【０００２】  従来、棒状の取手の先端に綿糸状の束をつけた油ひきがあった（特許文献１参照）。また刷毛やクッキングペーパーで油をひろげることも多かった。油ひきを置いておくための受け具が必要であった。
【特許文献１】特開平９−１５４７４１号公報
【発明の開示】
【発明が解決しようとする課題】
【０００３】  そのために、次のような問題点があった。
（イ）繰り返し使用していると、糸状の束に付いた油が酸化して固まったり、以前に使用した材料が付いていたりして、不衛生であった。
（ロ）使用中の油ひきを入れておくための受け具が必要であった。
本発明は、これらを解決するためになされたものである。
【課題を解決するための手段】
【０００４】  紙製等の取手の下部内側に、吸油性の高い紙等を束状にした刷毛部をもうける。取手の下端に設けた複数の切れ込みを外側へ開き、その角が調理台にあたることにより、調理中の仮置き時に、受け具なしでも調理台が油で汚れない。以上を特徴とする油ひきである。
【発明の効果】
【０００５】  安価な紙製などで作れば、調理の都度、新しい油ひきが使え、衛生的であり、ゴミの分別の際も容易である。また、調理中の仮置き時も刷毛部分が調理台につかないので、調理台を汚さずにすむ。
【発明を実施するための最良の形態】
【０００６】  以下、本発明の実施の形態について説明する。
（イ）取手（１）の下端に切れ込み（２）を数箇所設ける。
（ロ）切れ込み（２）の内側に紙等を束状にした刷毛（３）を装着する。
本発明は以上のような構成で、これを使用するときは、取手（１）下端の切れ込み（２）を外側へ開き刷毛（３）を露出させ、フライパン（４）などに油をひく。調理の途中で調理台（５）へ置くときは、取手（１）を横にして置く。切れ込み（２）が外側に開き、角が調理台（５）に当たることにより、油の付いた刷毛（３）が調理台（５）に触れず、受け具なしでも調理台（５）が汚れない。
【図面の簡単な説明】
【０００７】
【図１】本発明の斜視図
【図２】本発明の断面図
【図３】本発明の使用状態を示す斜視図
【図４】本発明の他の実施例を示す斜視図
【符号の説明】
【０００８】  １  取手
２  切れ込み
３  刷毛
４  フライパン
５  調理台
【図１】
2010115461.tif 000003
【図２】
2010115461.tif 000004
【図３】
2010115461.tif 000005
【図４】
2010115461.tif 000006
(57)【要約】      （修正有）【課題】従来の孫の手は、硬い木でできています、肌の弱い人には、赤く腫れてしまったりしていました。【解決手段】柔らかい孫の手は、肌を傷つけない様、先端を柔らかいものにします。【選択図】図１
2010115462.tif 000002
【特許請求の範囲】
【請求項１】
肌を傷つけない様、掻くための先端の柔らかいもの。
【発明の詳細な説明】
【技術分野】
【０００１】    本発明は皮膚を傷つけないための技術開発に関する。
【背景技術】
【０００２】    従来の孫の手には木で形を施したものです。
【発明の開示】
【発明が解決しようとする課題】  従来の孫の手は、硬い木でできています、肌の弱い人には、赤く腫れてしまったりしていました。
【課題を解決する手段】
柔らかい孫の手は、肌を傷つけない様、先端を柔らかいものにします。
【発明の効果】
肌を傷つけず掻きたい欲求を満たします。
【発明を実施するための最良の形態】園芸用の、くまでの先端にスーパーボールを取り付け、動物の肌ざわりの良い皮でつつみます
【実施例】３歳の肌の弱い幼児でも赤く腫れません。
【図面の簡単な説明】園芸用の、くまでの先端にスーパーボールを取り付け、動物の肌ざわりの良い皮でつつみます
【図１】正面から見た図です。
【図２】側面から見た図です。
【図１】
2010115462.tif 000003
【図２】
2010115462.tif 000004
(57)【要約】【課題】美容・ダイエット・筋力強化のための器具は多数存在するが、クッションに座るだけで、美容・ダイエット・筋力強化の効果を得ることができる器具は存在しなかった。【解決手段】クッション本体２に、バネなど３の体重に対する反作用力を利用し、上記の課題を解決するものである。【選択図】図１
2010115409.tif 000002
【特許請求の範囲】
【請求項１】
クッション内部に座面に対し直角方向に複数の弾性部材を設けたことを特徴とするクッション。
【請求項２】
弾性部材はバネ又は、アクチェーターのいずれかを用いたことを特徴とする請求項1記載のクッション。
【発明の詳細な説明】
【技術分野】
【０００１】
この発明は、クッションの構造に関する。
【背景技術】
【０００２】
従来のクッションは、座り心地を改善するためのものであったが、弾性部材の力を利用し、筋力強化、美容のために製作されたものはなかった。クッション内部に、弾性部材を装着する。図1に示すように、クッション内部にバネを装着する。
【発明の開示】
【発明が解決しようとする課題】
【０００３】
しかしながら、以上の技術によれば、クッションに座るだけで、筋肉をトレーニングすることができる。主に、腸腰筋群、大腿二頭筋、内転筋群を鍛えることにより、下腹部の引き締め、また全身運動によるカロリー消費によるダイエット効果を得ることができる。
そこで、この発明は、クッションに座るだけで、もしくはクッションに座って上下運動をするだけで、足腰の筋肉の強化、カロリー消費運動を提供することを課題とする。
【課題を解決するための手段】
【０００４】
本発明は請求項1として、クッション内部に座面に対し直角方向に複数の弾性部材を設けたことを特徴とするクッション。請求項２として、弾性部材はバネ又は、アクチェーターのいずれかを用いたことを特徴とする請求項1記載のクッション。
以上の課題を解決するために、第一発明は、バネ力を主とする垂直方向への反作用力を持った弾性部材を設けたことを特徴とするクッションである。
また、第二発明は、反作用力を第一発明より大きくすることにより、筋力強化を主にした、筋力強化用クッションである。
バネはコイルバネ、皿バネ、ツルマキバネ、板バネ、S字バネ、アクチェーターは、空気圧、油圧、ガス圧、その他の素材の反発力を利用したものである。
【発明の効果】
【０００５】
第一発明、または第二発明によれば、クッションに座るだけで、もしくはクッションに座ったまま上下運動をするだけで、カロリー消費と筋力強化を得ることができる。
【発明を実施するための最良の形態】
【０００６】
この発明の一実施形態を、図1に示す。
クッション内部にバネなどの弾性素材を設置し、バネなどの弾性部材の両端を座面にパイプなどを使い固定する。座面については板状のもので、弾性体の反発力を受けるようにする。このクッションの使い方として、床に直接置いて座っても、椅子の上に置いて座ってもよい。
【０００７】
実施形態の効果としては、この実施形態によれば、クッション内部バネなどの力により、クッションに座るだけで、筋肉をトレーニングすることができる。主に、腸腰筋群、大腿二頭筋、内転筋群を鍛えることにより、下腹部の引き締め、また全身運動によるカロリー消費を得ることができる。
【図面の簡単な説明】
【０００８】
【図１】この発明の一実施形態を示す斜視図である。
【符号の説明】
【０００９】
１  クッションカバー  
２  クッション本体      
３  弾性部材
【図１】
2010115409.tif 000003
(57)【要約】【課題】本発明は従来の靴の中に挿入する左右のインソールを従来の靴又は左右兼用靴にも使用できるインソールを一つの型で可能になるような形状にした左右兼用インソールを提供する。【解決手段】本発明は、インソールを左右対称で同型のものを１枚製作し、底部の上に薄革を被せ底上部にゼリー状の柔らかい樹脂を封入して、２〜８区分に仕切りを設け、仕切り部に足底の形状により左右上下にゼリー状の内容物が移動できるように設ける。そして足底の形状、凸凹に対応して足温によりある程度固硬化するような構造にして、一つの同型のインソール２枚で左右の足型に対応できることを特徴とする靴、履物に入れる左右兼用のインソールを提供する。【選択図】図１
2010115456.tif 000002
【特許請求の範囲】
【請求項１】
靴、履物に入れるインソールにおいて、左右兼用で使用できることを特徴とする左右兼用インソール。
【請求項２】
靴、履物に入れるインソールにおいて、各種材料の底部と各種材料の薄革からなり、その中間部内部に空間を設け。その空間を仕切で２〜８箇所に区分し、各空間は連絡路で連結された構造にした仕切りを設け、その薄革と底部の空間にゼリーを挿入し、ゼリーは連絡路を通して各仕切りを自由に左右前後何処にでも移動できることを特徴とする請求項１記載の左右兼用インソール。
【請求項３】
靴、履物に入れるインソールのゼリー状のやわらかい樹脂の材料で、靴、履物を履いた時やわらかいゼリー状の材料は左右前後に自由に移動する方法、あるいは履いた時に樹脂又はゼリーが足底の形状に移動し足温で硬化することを特徴する請求項１あるいは請求項２のどちらか１項に記載の左右兼用インソール。
【発明の詳細な説明】
【技術分野】
【０００１】  本発明は，左右兼用靴の中に挿入するインソールで、そのインソールを左右兼用可能なインソールに関する。
【背景技術】
【０００２】  従来は、全ての靴又はインソールは革製や合成樹脂製のものが広く使用されており、本来の靴と、全体をメッシュ状や小穴をあけた通風性の靴、又は抗菌性、防臭性を高めた素材を使用したインソールがあり販売されている。靴は又はインソールは全て別々に生産され、販売されている。左右兼用の靴もなく、ましてや靴の中に入れる左右兼用できるインソールもない、この左右別々靴でも、左右兼用の靴でも両方に使用できるインソールはなかったため、両方に使用できるインソールはないか考えた。
【発明の開示】
【発明が解決しようとする課題】
【０００３】  本発明は従来の靴の中に挿入する左右のインソールを従来の靴又は左右兼用靴にも使用できるインソールを一つの型で可能になるような形状にすれば、靴においても左右の靴型を作ることなく、靴の履き間違いもなく、又、インソールにおいても一つの型のみで対応でき、制作費も安価になる。以上本発明は、前述の問題を解決するためになされたものである。
【問題を解決するための手段】
【０００４】  本発明は、インソールを左右対称で同型のものを１枚製作し、底上に薄革を被せ、その薄皮と底の内部中間部にゼリー状の柔らかい樹脂を封入して、その封入した柔らかい樹脂を２〜８区分に仕切りを設け、土踏まずを中心に半分に封して、仕切り部に足底の形状により左右前後にゼリー状の内容物が連絡路を通じて移動できるように設ける。そして足底の形状、凸凹に対応して足温により足型になりある程度固形化するような構造にして、同一形状のインソール二個で左右の足型に対応できることを特徴とする靴、履物に入れる左右兼用インソールを提供する。
【発明を実施するための最良の形態】
【０００６】  以下、本発明の実施の形態を説明する。
インソール１を左右対称で同型のものを１枚製作し、底部３の底上４に薄皮２を被せ、その薄皮２と底上４の中間部内部５にゼリー状の柔らかい樹脂６を封入して、２〜８区分にするため仕切り７を設け、仕切り部に足底の形状により左右前後にゼリー状の内容物が移動できるように連絡路８を設ける。そして足底の形状、凸凹に対応して足温によりある程度固形化するような構造にして、同一つのインソール２枚で左右の足型に対応できることを特徴とする靴、履物に入れるインソールを提供する。
【図面の簡単な説明】
【００１１】
【図１】  本発明の平面図。
【図２】  本発明の正面図。
【図３】  本発明のＡ〜Ａの断面図。
【図４】  本発明の右側面図。
【図５】  本発明の他の形状の平面図。
【符号の説明】
【０００８】    １  インソール
２  薄革
３  底部
４  底上
５  中間部内部
６  ゼリー状の樹脂
７  仕切
８  連絡路
【図１】
2010115456.tif 000003
【図２】
2010115456.tif 000004
【図３】
2010115456.tif 000005
【図４】
2010115456.tif 000006
【図５】
2010115456.tif 000007
(57)【要約】【課題】  従来の電気炊飯器（電気釜とも言う）はご飯を炊くことだけしかできなかったし、従来の電気パン焼き器（ホームベーカリーとも言う）はパンを焼くことだけこそ出来なかった。即ち、二種類別々の器具であった。【解決手段】  同一電気器具で、炊飯ボタンを押せば飯が炊けまたパン焼きボタンを押せばパンが焼けるという一台の家庭用電気器具で、飯炊き・パン焼きが両方とも出来るという事は、場所も一台分で済むしまた一台購入すれば米食もパン食も出来るという事は経済的である。【選択図】図１
2010115454.tif 000002
【特許請求の範囲】
【請求項１】
お米に水またはその他の食材を加えてご飯を炊く電気炊飯器と、小麦粉に水またはその他の食材を加えてパンを焼くパン焼き器を一体化した家庭用電気器具。
即ち、飯炊きパン焼き器。
【請求項２】
上記（請求項１）のご飯を炊く行為とパンを焼く行為を一体化した構造のうち、このそれぞれの操作の切り替えは、電気回路を切り替える操作ボタンを押す事による構造のもの。
【請求項３】
上記（請求項２）のご飯を炊く行為とパンを焼く行為を一体化した構造のうち、ボタンで操作する事に変わりはないが、内側に据えるお釜をご飯用とパン用とで取替えの出来る構造のもの。
【発明の詳細な説明】
【技術分野】
【０００１】本発明は家庭用炊飯器と家庭用電気パン焼き器の一体化を図ったものである。
【背景技術】
【０００２】従来の家庭用電気炊飯器と家庭用電気パン焼き器は、各々別々の器具でご飯を炊きパンを焼いていた。
【発明の開示】
【発明が解決しようとする課題】
【０００３】ひとつの電気器具でご飯も炊き、またパンも焼けるように一体化したものである。
【課題を解決するための手段】
【０００４】基板の組替えにより、加熱の調整でパン焼きと炊飯を区別する。
お釜をパン焼き釜と炊飯釜で取り替える事もできるし、同じお釜で両用する事もできる。
【発明の効果】
【０００５】一台の家電器具で済むため、場所もとらず、消費者の経済的負担も減る。
【図面の簡単な説明】
【０００６】
【図１】本発明の実施形態を示す飯炊きパン焼き器の側面及び部分断面図
【図２】同飯炊きパン焼き器のふたを開放し、上方から見た図
【符号の説明】
１  お釜
２  電源
３  炊飯ボタン
４  パン焼きボタン
【図１】
2010115454.tif 000003
【図２】
2010115454.tif 000004
(57)【要約】【課題】  液体をカップから飲む際、側面を滴り落ちる飲料を軽減出来るように、側面に溝を設けたカップを提供する。【解決手段】カップの側面（１）に溝（２）を設けたカップを特徴とする。【選択図】図１
2010115458.tif 000002
【特許請求の範囲】
【請求項１】
カップの側面（１）に溝（２）を設けたカップ。
【発明の詳細な説明】
【技術分野】
【０００１】本発明は、側面に溝を設けた飲料用カップに関するものである。
【背景技術】
【０００２】従来のカップにてホットコーヒー等を飲む場合、カップ側面から滴り落ちる飲料がテーブルや衣服を汚し、不快な思いをしてきた。また、こぼれた飲料を拭取る為に、飲食店等ではナプキン等の資源物が消費される為、環境面からもその軽減が求められている。
【発明の開示】
【発明が解決しようとする課題】
【０００３】特にホット飲料の飲において、口元・口内での熱さを抑える為にカップの淵から啜るように飲料を吸飲する。その際、唇とカップの間から飲料が漏れカップの側面を滴り落ちてしまう。滴り落ちた飲料がカップの底面を伝い、置いてあるソーサーやテーブル等を汚してしまう為、その後片付けに時間や資源を無駄に使ってしまう。そのような無駄と不快感を軽減し、より豊かなブレイクタイムを実現することを目的とする。
【課題を解決するための手段】
【０００４】カップの側面（１）に溝（２）を設ける。
【発明の効果】
【０００５】液体の持つ表面張力の為、上から滴り落ちてくる飲料が溝の部分で塞き止められ、底面方向への拡散を軽減することが出来る。結果として、カップからテーブル上への液体の飛散を軽減することが出来る為、清掃に必要な資源物の倹約・節約に貢献することが出来る。
【発明を実施するための最良の形態】
【０００６】以下、本発明を実施する為の最良の形態について説明する。
カップの側面（１）に、液体の通り道となる溝（２）を円周状に設ける。
本発明は、以上のような構造である。
【図面の簡単な説明】
【０００７】
【図１】  本発明の斜視図である。
【図２】  本発明の側面図である。
【図３】  本発明の断面図である。
【符号の説明】
【０００８】１  カップの側面
２  溝
【図１】
2010115458.tif 000003
【図２】
2010115458.tif 000004
【図３】
2010115458.tif 000005
(57)【要約】【課題】過酸化水素水を注入しても中性を保つことが可能であり、しかも、過酸化水素水の分解速度を速めることのない汚染地盤の浄化方法を提供する。【解決手段】硫化物イオンを含有する汚染地盤内に過酸化水素水を注入し、汚染地盤内に生息する好気性微生物を活性化させて、汚染地盤を原位置で浄化する汚染地盤の浄化方法であって、汚染地盤内に、過酸化水素水とともにリン酸塩を注入することとする。【選択図】図１
2010115605.tif 000002
【特許請求の範囲】
【請求項１】
硫化物イオンを含有する汚染地盤内に過酸化水素水を注入し、当該汚染地盤内に生息する好気性微生物を活性化させて、当該汚染地盤を原位置で浄化する汚染地盤の浄化方法であって、
前記汚染地盤内に、前記過酸化水素水とともにリン酸塩を注入することを特徴とする汚染地盤の浄化方法。
【発明の詳細な説明】
【技術分野】
【０００１】
本発明は、汚染地盤の浄化方法に関し、特に、硫化物イオンを含有する汚染地盤内に過酸化水素水を注入し、当該汚染地盤内に生息する好気性微生物を活性化させて、当該汚染地盤を原位置で浄化する汚染地盤の浄化方法に関する。
【背景技術】
【０００２】
有機汚染物質（例えば、ベンゼン、塩化エチレン類、油など）で汚染された汚染地盤については、当該汚染地盤内に生息する好気性微生物を活性化させて、原位置で浄化することが可能であり、この好気性微生物を活性化させるためには、当該汚染地盤内に酸素を十分に供給する必要がある。そこで、汚染地盤内に酸素を十分に供給する技術として、従来、汚染地盤に井戸を設け、この井戸を介して汚染地盤内に過酸化水素水を注入する技術が知られている（特許文献１参照）。
【特許文献１】特開平９−２０６７３２号公報
【発明の開示】
【発明が解決しようとする課題】
【０００３】
ところで、海岸沿いの埋立地や浚渫土由来の汚染地盤においては、海水中に含まれる硫酸が還元されて硫化物イオンとなり、硫化鉄などの形態で存在することがある。こうした硫化物イオンを含有する汚染地盤（以下単に「汚染地盤」という。）に対して、好気的な微生物浄化を促すために過酸化水素水を酸素源として注入する場合には、硫化物イオンが酸化されて硫酸を生じ、汚染地盤及び地下水が酸性になってしまう。とりわけ、この酸性化の度合いが著しいときには、たとえ過酸化水素から発生した酸素が汚染地盤に届いたとしても、ｐＨの不適正化のために微生物が十分に活性化されず、汚染地盤の浄化が進まないおそれがある。そのため、汚染地盤に対して過酸化水素水を注入する際には、汚染地盤に対し過酸化水素水とともに中和剤を注入することが望ましい。
【０００４】
そこで、過酸化水素水とともに水酸化ナトリウムなどのアルカリ塩基を中和剤として汚染地盤に注入することが考えられる。しかし、過酸化水素の自己酸化などによる分解反応は、ｐＨに大きく依存し、酸性側では分解速度が遅くなるものの、アルカリ側では分解速度が速くなってしまう。そのため、過酸化水素水とともに水酸化ナトリウムなどのアルカリ塩基を中和剤として汚染地盤に注入する場合には、過酸化水素の分解反応がアルカリ側で速くなり、汚染地盤への過酸化水素水の浸透量が減り、ひいては、汚染地盤の浄化効果が低減してしまうおそれがあった。そこで、従来より、硫化物イオンを含有する汚染地盤において、過酸化水素水による処理で発生した硫酸を中和することが可能であり、過酸化水素水の分解速度を速めることのない技術が望まれていた。
【０００５】
本発明は、過酸化水素水を注入しても中性を保つことが可能であり、しかも、過酸化水素水の分解速度を速めることのない汚染地盤の浄化方法を提供することを目的とする。
【課題を解決するための手段】
【０００６】
上記課題を解決するために、本発明者らは、鋭意研究を行ったところ、硫化物イオンを含有する汚染地盤に対して過酸化水素水とともに注入する中和剤としては、リン酸塩が適していることを見出し、本発明を完成するに至った。
【０００７】
すなわち、本発明は、硫化物イオンを含有する汚染地盤内に過酸化水素水を注入し、当該汚染地盤内に生息する好気性微生物を活性化させて、当該汚染地盤を原位置で浄化する汚染地盤の浄化方法であって、前記汚染地盤内に、前記過酸化水素水とともにリン酸塩（例えば、リン酸ナトリウム、リン酸カリウム等）を注入することを特徴とする。
【発明の効果】
【０００８】
本発明によれば、硫化物イオンを含有する汚染地盤に過酸化水素水を注入しても中性を保つことが可能であり、しかも、過酸化水素水の分解速度を速めることがない。
【発明を実施するための最良の形態】
【０００９】
本発明者らは、汚染地盤に対して過酸化水素水とともに注入する中和剤としては、リン酸塩が適していることを確認するために、次のような確認試験を行った。
【００１０】
すなわち、この確認試験では、１Ｌ耐圧瓶に乾土換算で１００ｇの汚染土と、３倍量になるように添加資材入りの過酸化水素水を入れて、反応させ、経時的に上澄み中の過酸化水素水の残留濃度を評価し、過酸化水素水とともに入れる薬剤の種類や濃度によって、反応速度にどの様な影響が出るかを評価した。土は全て、同一の硫化物イオンを多く含むものを用いた。
【００１１】
なお、この確認試験における手順の概略は、次の（１）〜（６）の通りである。（１）まず、含水比を３５％と仮定し、添加すべき湿土量と添加液量を計算する。所定量の土を１L瓶に量り取る。（２）次に、添加すべき水に、３４％過酸化水素水と添加資材を加えてよく混ぜる。（３）続いて、混合した反応液を添加し、素早くコックを閉めたテドラバックにつながるガラス管を通したゴム栓をする。（４）その後、テドラバックのコックを開いて、蓋に液が付かない程度によく振り混ぜる。（５）３０分後と２時間後に、ガスバックと液を回収し、発生ガス量と残存過酸化水素水量を測定する。
【００１２】
図１及び表１に、確認試験の結果、すなわち、１％過水で反応バッチ試験を実施した結果を示す。この確認試験では、リン酸のナトリウム塩以外に、代表的な過酸化水素の反応遅延剤として知られているリン酸も対照ケースとした。
【００１３】
2010115605.tif 000003
図１及び表１の反応定数に示すように、過酸化水素水と土を単純に混ぜただけの対象ケースに比べて、反応速度（すなわち過酸化水素水の分解速度）を遅延させ得ることがわかった。但し、加える添加液がアルカリになるにつれて、遅延効果が低くなる傾向が見られたので、実際の使用にあたっては、汚染地盤ごとに最適な添加量を決定することとする。
【００１４】
以上の通り、過酸化水素水と土を混合して反応させる時に、過酸化水素水又は土にリン酸のナトリウム塩を入れることで、過酸化水素水の分解反応を遅延させ得ることが判明した。しかも、汚染地盤内に、過酸化水素水とともにリン酸ナトリウム塩を注入することで、過酸化水素水の注入障害を増大させることなく、また、薬剤の到達範囲を狭めたりすることもなく、硫酸の生成による地下水の酸性化を抑制し得ることが判明した。
【図面の簡単な説明】
【００１５】
【図１】アルカリ型中和剤による過酸化水素水の分解速度への影響を示すグラフである。
【図１】
2010115605.tif 000004
(57)【要約】      （修正有）【課題】円筒形容器に水を入れて容器内水中で自然原理自然エネルギー発生を行う円筒形容器に空洞筒体を容器底に入れて容器に水を入れると空洞筒体が浮上する、浮上力による、自然エネルギーの発生を原動力として使うことができる水中空洞筒浮上装置の提供。【解決手段】繰り返し自然エネルギー発生を行うために容器１底に排水弁を備える、容器内の水８の排水を行うと空洞筒体５は容器底に戻る、容器底に空洞筒体浮上止め金を備えて容器内に水を入れると浮上する力が現れ浮上止め金を外すと浮上力自然エネルギー発生を繰り返し行える。【選択図】図２
2010115630.tif 000002
【特許請求の範囲】
【請求項１】
自然原理空気対水重量の比重差応用
水中に空気を入れる水中に入れた空気は上昇する自然原理、水中から空気が水面上に出る力自然エネルギーを活用する、円筒形容器・水・空洞筒体を使用して自然原理の力を発生行える、自然エネルギー発生を行う装置、地上に円筒形容器を縦に立て円筒容器内水中で自然エネルギー発生を行う、容器内に定量体積空洞筒体を容器底に入れて水を流し込む空洞筒体が浮上する力、円筒形容器内水中から自然エネルギー発生を行える装置、発生する自然エネルギーを原動力として必要とする物に活用できる。
【発明の詳細な説明】
【技術分野】
【０００１】円筒形容器内側に空洞筒を落とし入れ水を流し込むと自然原理が発生する
円筒形容器内側に空洞筒を入れて容器底に定位置に止める容器の上から水を入れる自然原理発生空洞筒は容器内水面に浮上する自然エネルギー、円筒容器内側と空洞外回りの間に水が通る隙間分を設ける容器内において空洞筒上面に水があるために空洞筒は水面に浮上する浮上する力は自然原理エネルギーに変わり原動力として使うことができる
繰り返し自然エネルギー発生を行う場合円筒容器底に排水弁を備える容器内の水を排水行うと容器内にある空洞筒は元の位置に下がる止め金を掛けて再度容器内に水を入れる止め金を外すと空洞筒は浮上する再度自然エネルギー発生を行える
【背景技術】
【０００２】水上面活用は魚綱浮・船など自然原理を応用しております
現在までに地上において水中から自然原理自然エネルギー発生を行う事はなかった
【発明の開示】
【発明が解決しようとする課題】
【０００３】地上において水中から自然エネルギー発生を行える
地上で水中から自然原理自然エネルギー発生を行うには円筒形容器と空洞筒を使い容器に水を入れる、容器内の空洞筒が水中から浮上すると自然エネルギー発生する
自然エネルギーを最大に発生を行うために円筒形容器を縦に立てる、容器内側に空洞筒を入れて降ろし容器底に空洞筒を止めて置き容器上面から水を流し入れる容器内において１ｃｃ対１ｇの比重により水中で軽い気体は水面上に現れようとする自然原理を応用し自然エネルギー発生を行う
【課題を解決するための手段】
【０００４】円筒形容器内に空洞筒と水が入り空洞筒浮上時自然エネルギー発生を隙間で調整する、円筒形容器直径内寸法と空洞筒直径外寸法による隙間隙間の大幅・小幅により自然エネルギー発生力と空洞筒の浮上速度が変わる
容器内で空洞筒浮上力自然エネルギーを原動力に必要とする分は空洞筒の重量と空洞筒内体積量で決めて沈める
【発明の効果】
【０００５】円筒形容器内の水中のみで浮上力発生を行う
自然エネルギー発生による地上から重量物を上方向に上昇を行える装置、水中において１ｃｃ気体は１ｇ重量分を押し上げ浮上する力
円筒形容器を縦に立てに備えるから容器内水面上に至るまで自然エネルギー発生を持続する
円筒形容器内で空洞筒体浮上力を活用して物体吊り上げ・物体押し上げる力を発電・回転力・エレベーター・リフトなどの原動力して活用できる
【発明を実施するための最良の形態】
【０００６】円筒形容器を縦に立て備え、容器底に排水弁を設ける、自然エネルギー発生を繰り返し行える
繰り返し自然エネルギー発生を行うことは容器内に水が残っていては自然エネルギー発生を行うことはできない、容器内から水の排水を行うと容器内の空洞筒体は容器内下へ戻る又下へ戻った空洞筒体に浮上止め金を掛けて容器内に水を流し込み定位置で水を止めて空洞筒体の浮上止め金を外し空洞筒体は浮上し自然エネルギー発生を繰り返し行える
【実施例】
【０００７】（例１）空洞筒体の３倍長円筒形容器を縦に立て設置し空洞筒体に５リットル入り同様のペットボトル二本を使い容器内側に水を入れペットボトル底の部分と同じ底を接着剤で張り合わせにして一方のペットボトルに満タンに水を入れる一方のペットボトルは空洞筒体にして容器内の水に空洞筒体を下にして沈めるその結果容器内の水面上でペットボトル底張り合わせた位置で沈みもしない浮き上がることもないためその中心で止まっている、水上面の位置で５リットル水重量分を水面に上げている力自然原理の自然エネルギーです
（例２）櫓を組立て櫓内に円筒形容器底キャップに浮上止め金と排水弁を備えて円筒形容器を櫓に縦に立て設置し容器内に１０ｋｇの浮上する力分空洞筒体重量分を加えた空洞筒内体積にして容器内に入れる浮上止め金を掛けて容器内に水を定位置まで入れ浮上止め金を外し容器内を浮上する空洞筒体上面の水は容器と空洞筒体の隙間において水は下方向に下がり空洞筒体は１０ｋｇ浮上の力を保ちながら浮上を続ける、水中で起きる自然原理の自然エネルギー発生を行えた
【産業上の利用可能性】
【０００８】浮上する力と排水時に利用する力
容器内水中において浮上する自然の力、地上より高い所に重量物を上げる力の利用
容器内の排水水活用・重量物が降りる力
重量物を高い所に上げたら重量物は下へ返る
容器内の残水水量と水重圧プラス重量物が下へ降りる重量で排水力増強する力、力を発電機を回し電力エネルギーに変えることができる、電化生活に必要とする電気は発電を欠かすことができない
水道水使用前後の活用、排水時も活用することができる
高層建物の排水水を活用できる
【図面の簡単な説明】
【０００９】
【図１】立体図。円筒形容器内に空洞筒体を沈めている図
【図２】立体図。容器内に沈めている空洞対５空洞部分  ６水が満杯入っているタンクを上方向に入れた水重量筒部分
【図３】平面図。上から見た図
【符号の説明】
【００１０】  １  円筒形容器
２  隙間
３  空洞筒体
４  キャップ
５  空洞筒
６  水重量水を満タンに入れた筒体
７  空洞筒と水重量入れた筒体張り合わせ部分
８  容器中の水
９  容器内の水面上
１０  図２図面内５の空洞筒体に押し上げられて６水重量タンクが水面上に浮上する複線の標
【図１】
2010115630.tif 000003
【図２】
2010115630.tif 000004
【図３】
2010115630.tif 000005
(57)【要約】      （修正有）【課題】今までの傘袋は必要な時に瞬時に取り出せる場所へコンパクトになかなか設置する事が出来ないものであったので、コンパクトなケースに入れて取り出しやすい所に自由に取り付ける事が出来、また瞬時に傘を入れられる状態で傘袋を取り出す事が出来るようにした。【解決手段】傘袋１を蛇腹状に折り畳みケース２に入れる事によりコンパクトに収納が出来る。ケース裏面に粘着テープを施して有るので取り出し易い場所に自由に取り付ける事が出来る。又、傘袋の先端４とケースの内底部を面ファスナーで固定する事により片手で傘袋１の口元部を引き出すだけで簡単に伸びた状態で傘袋１を取り出すことが出来、素早く傘を入れる事が出来る。【選択図】図２
2010115387.tif 000002
【特許請求の範囲】
【請求項１】
蛇腹状に折り畳んだ布製又はビニール製等の傘袋をケースに入れ、ケースの裏面に粘着テープを施す事により自動車内に取り付ける事の出来る傘袋。
【請求項２】
ケースの内底面と傘袋の先端部にそれぞれ面ファスナーを施し接着する事によりケースから傘袋の口元を片手で引き出す事により素早く傘袋が伸びた状態で取り出す事が出来る請求項1の傘袋。
【発明の詳細な説明】
【技術分野】
【０００１】
本発明は、すぐに取り出しやすい場所にコンパクトに設置が出来、素早く片手で伸びた状態で取り出す事の出来る傘袋である。
【背景技術】
【０００２】
従来、自動車用の傘袋はその殆どがコンパクトに収納が出来ず未使用時の置き場に困る事が多く、いざ使いたい時にトランクや後部座席等に置いてある場合は素早く取り出す事が困難である。
【０００３】
また、特許公開2004-344620にも蛇腹式の傘袋があるが、これは傘そのものに傘袋を取り付けて使用する物であり本発明の物とは異なる。
【特許文献１】特許公開2004-344620
【発明の開示】
【発明が解決しようとする課題】
【０００４】
今までの傘袋ほ必要な時に瞬時に取り出せる場所へコンパクトになかなか設置する事が出来ないものであった。
【課題を解決するための手段】
【０００５】
本発明は、蛇腹状にコンパクトに畳まれた傘袋を専用のケースに入れ粘着テープで任意の場所に取り付ける事が出来る。また、傘袋の先端部とケースの内底面には面ファスナーが施されていてケースから片手で傘袋の入り口部を持って引き出す事により素早く伸びた状態で取り出すことが出来る。
【発明の効果】
【０００６】
本発明の傘袋はコンパクトなケースに入れて取り出しやすい所に自由に取り付ける事が出来、また瞬時に傘を入れられる状態で傘袋を取り出す事が出来るので自動車の中を濡らす事無く傘を仕舞う事が出来るものである。
【実施例１】
【０００７】
以下、本発明の実施例を図面に基づき説明する。
図1は蛇腹状に折り畳んだ傘袋と蓋を開いた状態の傘袋用ケースである。
【０００８】
図２はケースにしまった蛇腹状の傘袋を引き出して伸ばした後にケースと傘袋の面テープが切離された状態である。このように素早く傘を入れられる状態にして傘袋を取り出す事が出来る。
【０００９】
図３は傘袋本体を伸ばした状態で傘を入れてある図である。傘袋は防水性が良く蛇腹状にコンパクトに折り畳め易いものであれば其の材質を問うものではない。
【００１０】
図４は傘袋入れケースの一例である。材質は樹脂、プラスチック、金属等材質は問わずケースの裏面に粘着テープ等が施されてあり好きな所に取り付ける事が出来る。
【図面の簡単な説明】
【００１１】
【図１】ケースと蛇腹状に折たたんだ傘袋
【図２】ケースにしまった蛇腹状の傘袋を引き出して伸ばした後にケースと傘袋の面テープが切離された状態
【図３】伸ばした傘袋に傘を入れた状態
【図４】傘袋を入れるケースの一例（蓋が閉まっていてる状態）
【符号の説明】
【００１２】
1  傘袋本体
2  ケース
3  蛇腹状に畳んだ傘袋本体
4  面ファスナー
5  傘
【図１】
2010115387.tif 000003
【図２】
2010115387.tif 000004
【図３】
2010115387.tif 000005
【図４】
2010115387.tif 000006